(57)【要約】 【構成】  溝６と爪７とで、おむつ３０のシート部３４の両端を固定具４に仮止めする。固定具４をおむつカップ本体１０に係合すると、おむつ３０をおむつカップにセットできる。【効果】  おむつをおむつカップに簡単かつ液漏れ無しに取り付けることができる。【選択図】    図６
2008188365.tif 000002
【特許請求の範囲】
【請求項１】
股間部分に孔を設けたおむつまたはおむつパットを取り付けるための、おむつカップに吸引パイプを接続して、おむつカップに溜まった排泄物を吸引パイプで処理ユニットへ吸引するようにした排泄処理装置において、
おむつまたはおむつパットを仮止めする固定具と、
おむつカップ本体と固定具との間に、仮止めしたおむつまたはおむつパットを挟み込むように、前記固定具をおむつカップ本体に着脱自在に固定するための固定手段、とを設けたことを特徴とする、排泄処理装置。  
【請求項２】
前記固定具に、おむつまたはおむつパットの、前記孔の周囲に設けたシート状部材を係止する溝または突起を設けたことを特徴とする、請求項１の排泄処理装置。
【請求項３】
前記固定手段は、固定具をおむつカップ本体に係合する係合手段から成ることを特徴とする、請求項１または２の排泄処理装置。
【請求項４】
前記固定具またはおむつカップ本体の、おむつまたはおむつパットとの接触面をゴム状の材料で構成したことを特徴とする、請求項１〜３のいずれかの排泄処理装置。
【請求項５】
前記固定具とおむつカップ本体に挟まれることにより変形して、固定具とおむつカップ本体との隙間を塞ぐパッキンを、前記孔の周囲のおむつまたはおむつパットのシート状部材に設けたことを特徴とする、請求項２の排泄処理装置。  
【請求項６】
股間部分に孔を設けたおむつまたはおむつパットを取り付けるためのおむつカップにおいて、
おむつまたはおむつパットを仮止めするための仮止め手段を備えた固定具と、
おむつカップ本体と固定具との間に、仮止めしたおむつまたはおむつパットを挟み込むように、前記固定具をおむつカップ本体に着脱自在に固定するための固定手段、とを設けたことを特徴とする、おむつカップ。  
【発明の詳細な説明】
【技術分野】
【０００１】
この発明は、要介護者からの排泄物を処理する装置とその部品に関する。
【背景技術】
【０００２】
要介護者からの排泄物を自動的に吸引して処理できれば、おむつやおむつパットの交換回数を減らすと共に、要介護者が置かれた環境を快適にできる。この点に関し、特許文献１は、おむつなどの孔におむつカップをセットし、おむつカップに吸引ホースや温水チューブ、温風ホースを接続し、排泄をセンサで検出して、吸引ポンプで排泄物を吸引し、温水で洗浄し、温風で乾燥させることを提案している。おむつの孔の周囲には粘着テープを取り付け、これでおむつカップにおむつを取り付ける。しかしながら、排泄物や洗浄水がおむつカップとおむつの隙間から液漏れを起こさないためには、おむつカップの全周に渡り、おむつの粘着テープで隙間無しに固定する必要がある。この取付には熟練を要し、確実に取り付けないと液漏れが生じる。
【特許文献１】特開２００６−１４１５９０
【発明の開示】
【発明が解決しようとする課題】
【０００３】
この発明の課題は、おむつやおむつパットを、簡単かつ液漏れ無しにおむつカップに取り付けることができるようにすることにある。
【課題を解決するための手段】
【０００４】
この発明は、股間部分に孔を設けたおむつまたはおむつパットを取り付けるための、おむつカップに吸引ホースを接続して、おむつカップに溜まった排泄物を吸引ホースで処理ユニットへ吸引するようにした排泄処理装置において、
おむつまたはおむつパットを仮止めする固定具と、
おむつカップ本体と固定具との間に、仮止めしたおむつまたはおむつパットを挟み込むように、前記固定具をおむつカップ本体に着脱自在に固定するための固定手段、とを設けたことを特徴とする。  
【０００５】
好ましくは、前記固定具に、おむつまたはおむつパットの、前記孔の周囲に設けたシート状部材を係止する溝または突起を設ける。
また好ましくは、前記固定手段は、固定具をおむつカップ本体に係合する係合手段から成る。
【０００６】
好ましくは、前記固定具またはおむつカップ本体の、おむつまたはおむつパットとの接触面をゴム状の材料で構成する。
好ましくは、前記固定具とおむつカップ本体に挟まれることにより変形して、固定具とおむつカップ本体との隙間を塞ぐパッキンを、前記孔の周囲のおむつまたはおむつパットのシート状部材に設ける。
【０００７】
またこの発明は、股間部分に孔を設けたおむつまたはおむつパットを取り付けるためのおむつカップにおいて、
おむつまたはおむつパットを仮止めするための仮止め手段を備えた固定具と、
おむつカップ本体と固定具との間に、仮止めしたおむつまたはおむつパットを挟み込むように、前記固定具をおむつカップ本体に着脱自在に固定するための固定手段、とを設けたことを特徴とする。  
【発明の効果】
【０００８】
この発明では、おむつなどを直接おむつカップ本体に取り付けるのでなく、カップ本体より小型で取り扱いが容易な固定具に仮止めして取り付けるので、取付が容易である。またおむつは固定具とおむつカップ本体との間に挟み込まれ、これらの隙間からの液漏れが生じにくい。
【０００９】
請求項２の発明では、おむつを溝や突起により、簡単に固定具に取り付けることができる。
請求項３の発明では、おむつをセットした固定具を係合手段で簡単におむつカップ本体に固定できる。
請求項４の発明では、ゴム材料の摩擦力によりシート部の横ずれを防止すると共に、ゴム材料の弾性により液漏れをより確実に防止できる。
請求項５の発明では、パッキンにより固定具とおむつカップ本体との隙間を塞ぎ、液漏れをより確実に防止できる。
【発明を実施するための最良の形態】
【００１０】
以下に本発明を実施するための最適実施例を示す。
【実施例】
【００１１】
図１〜図８に、実施例のおむつカップ２と排泄処理装置とを示す。おむつカップ２は、固定具４とおむつカップ本体１０とから成り、固定具４はおむつカップ本体１０に対して着脱自在で、おむつカップ本体１０に比べて小型軽量である。固定具４はその底部に弾性爪５を備え、前後一端に溝６を、他端に爪７を備えている。溝６や爪７は共におむつ３０のシート部３４を仮止めするための部材で、共に溝としても、あるいは共に爪としてもよく、またシート部３４に設けた孔などに係合する突起などに代えてもよい。固定具４の一端は扇状に拡がる扇形部８となり、爪７はその上部に設けられている。
【００１２】
おむつカップ本体１０はベース１２を備え、１３は係合部材で、固定具４の弾性爪５を係合する。載置部１４は固定具４を載置し、補助部材１５を介してパット１６並びに弾性部材１８をベース１２の後端側（扇形部８側）に取り付ける。なお弾性部材１８はシリコンゴムなどから成り、要介護者の褥瘡を防止するための部材である。
【００１３】
図３等に示すように、固定具４の周囲を１周する縁２０を設け、爪７と縁２０の間を溝２１とする。爪７を補助部材１５の溝に係合させ、溝２１と補助部材１５の残りの隙間には、おむつのシート部を係止させる。また弾性爪５の部分を、図３の左下に示すように、係合部材１３に係合させる。こうすることにより、固定具４は弾性爪５の部分と爪７の部分とで、おむつカップ本体１０に係合される。なお係合の手法自体は任意である。
【００１４】
実施例では、おむつのシート部を固定具４に仮止めするため、溝６と爪７とを用いる。シート部を固定具４により確実に仮止めするため、例えば固定具４のシート部との接触面に面ファスナー２４〜２６を設けて、シート部を仮止めしてもよい。シート部を不織布で構成すると、シート部側には面ファスナーを設けなくても仮止めできる。もちろんシート部側にも、面ファスナー２４〜２６に対応する面ファスナーを設けても良い。さらに固定具４のシート部との接触面の例えば全面に面ファスナーを設けて、溝６や爪７などを省略しても良い。
【００１５】
図４に、おむつ３０に固定具４をセットした状態を示す。図４ではおむつ３０や固定具４を底面側から見ている。３２は吸水部で、吸水性高分子などを用い、排泄物中の液体を吸収する。おむつ３０の股間に対応する部分にシート部３４を設け、その中央部に孔３５を設ける。３６は連結シートで、孔３５の両側を連結して、シート部３４が拡がり固定具４から外れるのを防止するための部材である。連結シート３６は使用時には不要なので、水溶性の材料とする。なお連結シート３６を水溶性にせずに、固定具４をおむつカップ１０に係合した後に取り外せるようにしても良い。固定具４の扇形部８に対応して、孔３５を扇形に拡げて扇形部３７を設ける。また溝６に対応して孔３５を拡げて、図６に示す拡開部３８を設ける。ここで孔３５の周長を、固定具４の周長よりもやや短くしておくと、シート部３４が固定具４から外れにくくなる。
【００１６】
図５は、固定具４に沿って１周するループ状のパッキン４０をシート部３４に設けた例を示す。固定具４がベース１２の載置部１４にセットされると、パッキン４０は圧力で弾性変形して、固定具４と載置部１４間の隙間を塞ぐ。このようにすると液漏れを、より確実に防止できる。またパッキン４０が長手方向に沿って伸縮自在な場合、パッキン４０によりシート部３４を固定具４に仮止めし、溝６や爪７などの係合部材を不要にできる。
【００１７】
図６，図７に、固定具４を用いた、おむつ３０のおむつカップ本体１０への取付を示す。図６に示すように、固定具４をシート部３４の上に置き、拡開部３８を溝６に通し、扇形部３７を爪７で係止する。これによっておむつ３０は固定具４に仮止めされる。次に固定具４とおむつ３０とを、図７に示すおむつカップ本体１０の上部に置き、おむつ３０に設けた袋状の挿入部４１（図６参照）にパット１６と弾性部材１８を挿入する。次いで固定具４の爪７を補助部材１５の溝に係合し、固定具４を下側に押し込むと、弾性爪５が係合部材１３に係合される。以上によりおむつ３０の取付が完了する。
【００１８】
なおおむつ３０を固定具４により確実に仮止めし、あるいはおむつ３０をおむつカップ本体１０により確実に固定するため、孔３５の周囲のシート部３４の表裏少なくとも一方に、粘着部３９を設けても良い。粘着部３９は例えば粘着シートから成るが、シート部３４に直接粘着材料をコーティングしてもよい。
【００１９】
おむつカップ本体１０とおむつ３０との結合をより確実にするため、おむつカップ本体１０のおむつ３０との接触面にも、図示しない面ファスナーを設けても良い。この場合、おむつ３０側に対応する面ファスナーを設けるかどうかは任意である。
【００２０】
固定具４あるいはおむつカップ本体１０の、おむつ３０のシート部３４との接触面をゴム状の部材で構成すると、ゴムの弾性のため、隙間を塞いで液漏れをより確実に解消できる。またゴムは一般に高い摩擦力を持つため、シート部３４が固定具４あるいはおむつカップ本体１０に対して横ずれすることを防止できる。
【００２１】
実施例では、溝６と爪７とを用いて、おむつ３０を固定具４に仮止めしている。しかしながら溝６や爪７を用いず、面ファスナー２４〜２６や、粘着部３９のみで仮止めしてもよい。
【００２２】
おむつカップ本体１０は吸引口５０を備えて、排泄物を吸引する。また温風口５１から温風を吹き出し、温水口５２，５３から暖かい洗浄水を噴き出して、要介護者の局部を洗浄する。排尿センサ５４で排尿を検出し、排便センサ５５で排便を検出する。おむつカップ２と排泄処理装置本体７０との接続を図８に示すと、吸引ホース６０から排泄物を吸引し、温風ホース６１で温風を、温水チューブ６２で温水を供給し、センサケーブル６４で、排尿センサや排便センサの信号を、処理装置本体７０側へ入力する。
【００２３】
７１は制御部で、排尿センサや排便センサの信号により、吸引・温風モータ７２を駆動して排泄物を吸引し、電熱器７７や洗浄ポンプ７６を駆動する。吸引した排泄物は汚物タンク７３に蓄積され、タンク７３を本体７０から取り外して、汚物を捨てられるようにしてある。また洗浄水タンク７８も本体７０から着脱自在で、洗浄水を補給できるようにしてある。
【００２４】
実施例では以下の効果が得られる。
(1)  おむつ３０を直接おむつカップ本体１０に取り付けるのでなく、固定具４に仮止めして取り付けるので、取付が容易である。
(2)  おむつ３０は溝６や爪７により簡単に固定具４に取り付けられる。おむつ３０をセットした固定具４は、弾性爪５や爪７等により、簡単におむつカップ本体１０に係合できる。
(3)  おむつ３０のシート部３４は、固定具４とおむつカップ本体１０との間に挟み込まれ、これらの隙間からの液漏れが生じにくい。
(4)  面ファスナー２４〜２６や粘着部３９，あるいはパッキン４０を設ければ、液漏れをより確実に防止できる。
(5)  固定具４もしくはおむつカップ本体１０のシート部３４との接触面をゴム材料で構成すると、摩擦力によりシート部が横ずれしにくくなり、またゴム状部材の弾性により液漏れをより確実に防止できる。
【００２５】
実施例としてはおむつ３０を示したが、これに代えておむつパットを用いてもよい。また弾性爪５をおむつカップ本体１０に、係合部材１３を固定具４に設けるなど、係合部材の配置は適宜に変更できる。さらに爪７に代えて、被係合用の溝を固定具４に、係合用の爪をおむつカップ本体１０に設けても良い。
【図面の簡単な説明】
【００２６】
【図１】実施例で、おむつカップ本体に固定具をセットした状態の斜視図
【図２】実施例での、おむつカップの分解状態を示す斜視図
【図３】実施例での、固定具の側面図
【図４】実施例で、固定具におむつを仮止めした状態を、固定具の底面側から見た図
【図５】図４のV-V方向拡大断面図
【図６】実施例での固定具へのおむつの仮止めを示す図
【図７】実施例でのおむつカップの斜視図
【図８】実施例の排泄処理装置の全体構成を示す図
【符号の説明】
【００２７】
２          おむつカップ
４          固定具
５          弾性爪
６          溝
７          爪
８          扇形部
１０        おむつカップ本体
１２        ベース
１３        係合部材
１４        載置部
１５        補助部材
１６        パット
１８        弾性部材
２０        縁
２１        溝
２４〜２６  面ファスナー
３０        おむつ
３２        吸水部
３４        シート部
３５        孔
３６        連結シート
３７        扇形部
３８        拡開部
３９        粘着部
４０        パッキン
４１        挿入部
５０        吸引口
５１        温風口
５２，５３  温水口
５４        排尿センサ
５５        排便センサ
６０        吸引ホース
６１        温風ホース
６２        温水チューブ
６４        センサケーブル
７０        排泄処理装置本体
７１        制御部
７２        吸引・温風モータ
７３        汚物タンク
７６        洗浄ポンプ
７７        電熱器
７８        洗浄水タンク
【図１】
2008188365.tif 000003
【図２】
2008188365.tif 000004
【図３】
2008188365.tif 000005
【図４】
2008188365.tif 000006
【図５】
2008188365.tif 000007
【図６】
2008188365.tif 000008
【図７】
2008188365.tif 000009
【図８】
2008188365.tif 000010